(57)【要約】      （修正有）【課題】モータ出力軸の回転によりリードスクリューを回転させ、リードスクリューに螺合している鏡枠を光軸に平行に移動させる。このリードスクリューを回転させたときにリードスクリューが振動し、リードスクリューに螺合している鏡枠も振動し、あるいはガタついてしまい、光軸に対して鏡枠の中心がズレたり、傾いたりして像ブレを起すことを防止する。【解決手段】鏡枠３に配設されたナット保持部３ｂ内に保持されたナット３ａがリードスクリュー１ｃ回転時に鏡枠３のナット保持部３ｂにおいて滑動するため、このナット３ａの滑動により、リードスクリュー１ｃの回転によって発生する振動、リードスクリュー１ｃの設置の誤差に起因する振動、リードスクリュー１ｃの断続的な回転や反転の際に発生するガタつきを防止して鏡枠を駆動することが可能となる。【選択図】図１
2009169102.tif 000002
【特許請求の範囲】
【請求項１】
モータ、該モータに配設されたリードスクリュー、ガイドシャフトと弾性部材とを有し、複数のレンズ群を有するレンズ鏡筒に配設された鏡枠移動装置において、
前記複数のレンズ群のうちで、第１のレンズ群を保持する第１の鏡枠と第２のレンズ群を保持する第２の鏡枠と、
前記第１の鏡枠と前記第２の鏡枠との間に配設された弾性部材と、
前記第１の鏡枠に配設されたモータと、
前記第２の鏡枠に密接しながら前記リードスクリューに螺合するナットと、
前記第２の鏡枠を光軸に平行に摺動可能にする1本以上の前記第１の鏡枠あるいは前記第２の鏡枠のいずれかに軸止されたガイドシャフトとを有し、
前記第２の鏡枠は前記ナットを保持するナット保持部が配設され、
前記リードスクリューは前記第２の鏡枠に遊嵌し、
前記第２の鏡枠は前記弾性部材により光軸方向に付勢され、
前記ナットは前記リードスクリューが振動したとき前記ナット保持部で光軸と略直交する平面上を自在に滑動可能に保持され、
前記ナット保持部は光軸に略垂直に配設されたこと
を特徴とする鏡枠移動装置。
【請求項２】
前記ナットの形状は、前記ナットが滑動するとき、前記ナットの少なくとも２箇所の角部が前記ナット保持部の内壁に略接して摺動可能であること
を特徴とする請求項１記載の鏡枠移動装置。
【発明の詳細な説明】
【技術分野】
【０００１】
本発明はリードスクリューを用いた鏡枠移動装置において、リードスクリューの振動が鏡枠に伝わることを防止する機構に関するものである。
【背景技術】
【０００２】
近年、ビデオカメラ、コンパクトデジタルカメラやデジタルカメラの交換レンズは高性能化と構造の省スペース化とが図られてきている。特に、コンパクトデジタルカメラにおいて撮影時以外はレンズ鏡筒をカメラ本体内に収納させる沈胴機構を有しているものが多い。この機構を作動させるための手段としてリードスクリューが用いられている。
【０００３】
また、撮影時にズーム調整と焦点距離調整とを行うためにリードスクリューを用いて鏡筒に内在する鏡枠を光軸方向に移動させてこれらの調整を精度良く行う鏡枠移動機構が採用されている。
【０００４】
モータ出力軸の回転によりリードスクリューを回転させ、リードスクリューに螺合している鏡枠を光軸方向に平行に移動させる。このリードスクリューを回転させた際にリードスクリューが振動することがある。この振動によりリードスクリューに螺合している鏡枠が振動し、あるいはガタついてしまい、光軸に対して鏡枠の中心がズレたり傾いたりするため像ブレを起こすことがあった。また、これらの振動やガタつきにより鏡枠が移動する際に異音が発生することもあった。回転時におけるリードスクリューの振動が鏡枠へ伝わることを防止するために、リードスクリューと鏡枠の間に振動を吸収する機構が提案されている。具体的には特許文献１（特開平７−３２５２４２号公報）で開示されている。
【特許文献１】特開平７−３２５２４２号公報
【発明の開示】
【発明が解決しようとする課題】
【０００５】
リードスクリューと鏡枠を連結用ナットで係合していることが特許文献１で開示されている。この連結用ナットはナット部、遊嵌孔と連結用爪部とから構成されており、ナット部がリードスクリューに螺合し、遊嵌孔がガイドシャフトに遊嵌し、連結用爪部が鏡枠に弾性的に係合している。これらの構造をとることにより、リードスクリュー回転時に発生する振動を連結用ナットで吸収して鏡枠に伝わらないようにしている。
【０００６】
しかし、ナット部に連結用爪部を設け、鏡枠に遊嵌孔を設けることは部品点数が増えるため組立性が悪くなり、また部品コストが上昇する。更に部品点数が多いため省スペース化に繋がらない。
【課題を解決するための手段】
【０００７】
本発明は上記の課題を解決するためになされたものであり、第１の発明は、モータ、該モータに配設されたリードスクリュー、ガイドシャフトと弾性部材とを有し、複数のレンズ群を有するレンズ鏡筒に配設された鏡枠移動装置において、前記複数のレンズ群のうちで、第１のレンズ群を保持する第１の鏡枠と第２のレンズ群を保持する第２の鏡枠と、前記第１の鏡枠と前記第２の鏡枠との間に配設された弾性部材と、前記第１の鏡枠に配設されたモータと、前記第２の鏡枠に密接しながら前記リードスクリューに螺合するナットと、前記第２の鏡枠を光軸に平行に摺動可能にする1本以上の前記第１の鏡枠あるいは前記第２の鏡枠のいずれかに軸止されたガイドシャフトとを有し、前記第２の鏡枠は前記ナットを保持するナット保持部が配設され、前記リードスクリューは前記第２の鏡枠に遊嵌し、前記第２の鏡枠は前記弾性部材により光軸方向に付勢され、前記ナットは前記リードスクリューが振動したとき前記ナット保持部で光軸と略直交する平面上を自在に滑動可能に保持され、前記ナット保持部は光軸に略垂直に配設されたことを特徴とする鏡枠移動装置である。
【０００８】
また、第２の発明は、前記ナットの形状は、前記ナットが滑動するとき、前記ナットの少なくとも２箇所の角部が前記ナット保持部の内壁に略接して摺動可能であることを特徴とする請求項１記載の鏡枠移動装置である。
【発明の効果】
【０００９】
本発明の鏡枠移動装置を用いれば、鏡枠に保持されたナットがリードスクリュー回転時にナットと鏡枠との接触面において滑動するため、リードスクリューの回転によって発生する振動、リードスクリューの断続的な回転や反転の際に発生するガタつきを抑えることが可能となる。振動やガタつきを抑えることにより鏡枠を静粛に移動させることも可能となる。また、リードスクリューの設置の誤差から生じる光軸の位置ズレを抑えることも可能となる。更に、部品点数が少ないためレンズ鏡筒の組立性が良く、省スペース化につながる。レンズ鏡筒の構造も簡素化されるので故障も少なく、故障した際には容易に修理することが可能である。
【発明を実施するための最良の形態】
【００１０】
本発明の実施例を図に基づいて説明する。図１は実施例１における鏡枠移動装置の斜視図である。図２は実施例１における鏡枠移動装置を第２の鏡枠に向かってＭ方向から見た図である。図３は本実施例１における鏡枠移動装置のモータ周辺の断面図である。図４は実施例１においてナットが保持されている第２の鏡枠を拡大した図である。図５は実施例１においてリードスクリューが振動しているときの図である。図６は実施例２においてリードスクリューが振動しているときの図である。
【００１１】
（実施例１）
図１が示すように、第１の鏡枠１にはリードスクリュー１ｃ、ガイドシャフトＡ５、バネ２、バネ受け部１ａとモータ１ｂとが配設されている。
【００１２】
図１及び図２が示すように、第２の鏡枠３にはナット３ａ、ナット保持部３ｂ、ガイドシャフトＡ５、ガイドシャフトＢ６と第２の鏡枠のレンズ３ｃとが配設されている。
【００１３】
図３が示すように、第１の鏡枠１のＮ方向側にモータ１ｂが取り付けられており、モータ１ｂから伸びるリードスクリュー１ｃが光軸Ｌに略平行に第２の鏡枠のリードスクリュー用遊嵌孔３ｄを遊嵌して第２の鏡枠３のＭ方向側に突出している。
【００１４】
図１及び図２が示すように、ガイドシャフトＡ５とガイドシャフトＢ６とは光軸Ｌと略平行となるように第１の鏡枠１に固定されている。
【００１５】
ガイドシャフトＡ５にバネ２が装入されており、バネ２はＭ方向とＮ方向とへ付勢するため、第２の鏡枠３が装着されると第２の鏡枠３はナット３ａへバネ２により圧接される。また、バネ２のＭ、Ｎ両方向への付勢力により第１の鏡枠１はＮ方向へ、第２の鏡枠３はＭ方向へ付勢されるため、両鏡枠のガタつきが防止されている。
【００１６】
２本のガイドシャフトは第２の鏡枠３に配設された孔部を介して摺動可能に挿嵌しており、モータ１ｂの回転によりリードスクリュー１ｃは回転しナット保持部３ｂ内に保持されているナット３ａに螺合する。これによりモータ１ｂの回転方向で第２の鏡枠３はＭ方向とＮ方向へと移動が可能になる。
【００１７】
図４が示すように、リードスクリュー１ｃが回転していないときはナット３ａが静止状態である。ナット３ａの形状は略四角形で各辺の中央部が略凹形状になっており角部Ａ７と角部Ｂ８が略円弧面状になって突出している。ナット保持部３ｂの底面は光軸に略垂直に設けられている。ナット３ａはナットの角部Ａ７と角部Ｂ８とがナット保持部３ｂの内壁に略接しながら保持されている。
【００１８】
図５が示すように、リードスクリュー１ｃが振動したときのナット３ａの状態である。リードスクリュー１ｃの軸心は三角印で表されており、リードスクリュー１ｃが振動したときの軸心の軌跡は破線で示してある。破線の形状は略円形である。
【００１９】
リードスクリュー１ｃは第２の鏡枠３に遊嵌している。第２の鏡枠３のリードスクリュー用遊嵌孔３ｄの直径はリードスクリュー１ｃの振動する範囲よりも大きく設けられているため、第２の鏡枠３とリードスクリュー１ｃとは接触しない。これにより振動が第２の鏡枠３に伝わらない。
【００２０】
リードスクリュー１ｃが回転したとき、ナット保持部３ｂの内壁にナット３ａの角部Ａ７と角部Ｂ８が保持されているため、ナット３ａがナット保持部３ｂ内でリードスクリュー１ｃの回転方向に空転せずリードスクリュー１ｃはナット３ａに螺合する。
【００２１】
また、ナット３ａの底面はナット保持部３ｂ内で滑動するようになっている。リードスクリュー１ｃがＲ方向に回転したときに振動すると、ナット３ａの底面の滑動に従ってナット３ａの角部Ａ７はナット保持部３ｂの内壁に沿ってＰ方向に摺動し、角部Ｂ８はＱ方向へ摺動する。上記のナット３ａの動きにより振動は吸収されて第２の鏡枠３に伝わらない。リードスクリュー１ｃがＳ方向に回転し振動したときは角部Ａ７はＱ方向に摺動し、角部Ｂ８はＰ方向に摺動することにより同様の効果を得る。振動がナット３ａにより吸収されるため、第２の鏡枠３の中心が光軸Ｌからずれることが無くなり光軸Ｌの精度が保たれる。
【００２２】
（実施例２）
図６が示すように、ナット１１の形状が略ルーローの三角形状である。角部Ｃ９と角部Ｄ１０がナット保持部３ｂの内壁に摺動可能に保持されている。この場合も実施例１同様にリードスクリュー１ｃがＲ方向に回転したときに振動すると、ナット１１の底面の滑動に従ってナット１１の角部Ｃ９はナット保持部３ｂの内壁に沿ってＰ方向に摺動し、角部Ｄ１０はＱ方向に摺動する。リードスクリュー１ｃがＳ方向に回転したときには角部Ｃ９がＱ方向に、角部Ｄ１０がＰ方向に摺動する。ナット１１の動きにより実施例１と同様に、リードスクリュー１ｃの振動がナット１１に吸収され、第２の鏡枠に振動が伝わることが防止され光軸Ｌの精度が保たれる。
【００２３】
本発明におけるナットとナット保持部の形状は実施例に限定されない。ナットがリードスクリュー１ｃの回転時にガタつくことなくナットの底面が滑動可能に保持され、リードスクリュー１ｃが振動したときナットの角部がナット保持部内で滑動可能になることにより、ナットが振動を吸収可能に動けるような形状であるならばよい。また、弾性部材も鏡枠同士を光軸方向に付勢するものであれば、その形状と配置は問わない。
【００２４】
また、ナット保持部、モータとガイドシャフトとの配設位置も本実施例に限定されない。モータとガイドシャフトの配設される鏡枠は第１の鏡枠あるいは第２の鏡枠いずれでもよい。モータとガイドシャフトは必ずしも同一の鏡枠に配設されなくてもよい。ナット保持部はモータが配設されている鏡枠に無ければよい。
【図面の簡単な説明】
【００２５】
【図１】図１は実施例１における鏡枠移動装置の斜視図である。
【図２】図２は実施例１における鏡枠移動装置を第２の鏡枠に向かってＭ方向から見た図である。
【図３】図３は本実施例１における鏡枠移動装置のモータ周辺の断面図である。
【図４】図４は実施例１においてナットが保持されている第２の鏡枠を拡大した図である。
【図５】図５は実施例１においてリードスクリューが振動しているときの図である。
【図６】図６は実施例２においてリードスクリューが振動しているときの図である。
【符号の説明】
【００２６】
１  第１の鏡枠
１ａ  バネ受け部
１ｂ  モータ
１ｃ  リードスクリュー
２  バネ
３  第２の鏡枠
３ａ  ナット
３ｂ  ナット保持部
３ｃ  第２の鏡枠のレンズ
４  光軸
５  ガイドシャフトＡ
６  ガイドシャフトＢ
７  角部Ａ
８  角部Ｂ
９  角部Ｃ
１０  角部Ｄ
１１  ナット
【図１】
2009169102.tif 000003
【図２】
2009169102.tif 000004
【図３】
2009169102.tif 000005
【図４】
2009169102.tif 000006
【図５】
2009169102.tif 000007
【図６】
2009169102.tif 000008